(57)【要約】  本発明は電気通信システムでハンドオーバーを行う方法を開示した。この方法は、移動端末がホームセルと一つ或いはさらに多くの隣接セルとの間のハンドオーバー領域に進入したとき、ホームセル中の通信をデコーディングするための第１のマルチセルジョイント検出処理を行うステップ１と、移動端末がホームセルに位置しているとき、移動端末に対してハンドオーバー処理を行なって目標隣接セルに加入させるステップ２と、ホームセルと目標セルとの間の通信をデコーディングするための第２のマルチセルジョイント検出処理を行うステップ３とを含む。よって、本発明は、電気通信システム中のセルハンドオーバー問題を解決することができ、上り或いは下り通信に対するデコーディングを提供して、電気通信システムのスループットと性能を向上させる。
2008547253.tif 000002
【特許請求の範囲】
【請求項１】
電気通信システムでハンドオーバーを行う方法において、
移動端末がホームセルと一つ或いはさらに多くの隣接セルとの間のハンドオーバー領域に進入したとき、ホームセル中の通信をデコーディングするための第１のマルチセルジョイント検出処理を行うステップ１と、
移動端末がホームセルに位置しているとき、移動端末に対してハンドオーバー処理を行なって目標隣接セルに加入させるステップ２と、
ホームセルと目標セルとの間の通信をデコーディングするための第２のマルチセルジョイント検出処理を行うステップ３と
を含むことを特徴とする方法。
【請求項２】
前記ステップ１は、マルチセルチャンネル推定を行うことをさらに含むことを特徴とする請求項1に記載の方法。
【請求項３】
前記ステップ１は、隣接セルから一つ或いはさらに多くのコードチャンネルを識別、選択して、前記マルチセルジョイント検出処理を行うステップ１ａをさらに含むことを特徴とする請求項２に記載の方法。
【請求項４】
前記ステップ１ａは、識別し、選択するためにホームセルと隣接セルとの間のコマンド交換を使用することをさらに含むことを特徴とする請求項３に記載の方法。
【請求項５】
前記ステップ１ａは、チャンネル推定に基づいて、所定の１対１の相関性によって隣接セルの拡散コード情報を識別することをさらに含むことを特徴とする請求項３に記載の方法。
【請求項６】
前記ステップ１ａは、隣接セルからの干渉信号或いはＳＮＲの強度が第１の所定の閾値より高い場合、相応した隣接セルからコードチャンネルを選択することをさらに含むことを特徴とする請求項３に記載の方法。
【請求項７】
前記ステップ１は、上りマルチセルジョイント検出処理を含むことを特徴とする請求項１に記載の方法。
【請求項８】
前記ステップ１は、下りマルチセルジョイント検出処理を含むことを特徴とする請求項１に記載の方法。
【請求項９】
基地局或いは端末機で前記ステップ１を行うことを特徴とする請求項１に記載の方法。
【請求項１０】
前記ステップ１は、雑音から目標隣接セルの干渉を排除して、ホームセル内の通信をデコーディングすることをさらに含むことを特徴とする請求項１に記載の方法。
【請求項１１】
前記ステップ２は、移動端末を目標隣接セルに接続する前に、移動端末とホームセルとの間の通信を遮断することをさらに含むことを特徴とする請求項1に記載の方法。
【請求項１２】
前記ステップ２は、移動端末を目標隣接セルに接続した後、移動端末とホームセルとの間の通信を遮断することをさらに含むことを特徴とする請求項１に記載の方法。
【請求項１３】
前記ステップ３は、ホームセルからの干渉を識別することをさらに含むことを特徴とする請求項１に記載の方法。
【請求項１４】
前記ステップ１は、雑音からホームセルの干渉を排除して、目標隣接セル内の通信をデコーディングすることをさらに含むことを特徴とする請求項１に記載の方法。
【請求項１５】
移動端末がハンドオーバー領域を離れて目標隣接セルに進入した後、以降のいかなるジョイント検出処理の中でも隣接セルからのコードチャンネルを排除することをさらに含むことを特徴とする請求項１に記載の方法。
【請求項１６】
相応した隣接セルからの干渉信号或いはＳＮＲの強度が第２の所定の閾値以下まで下降したとき、以降のいかなるジョイント検出処理の中でも一つ或いは複数の選択した隣接セルからのコードチャンネルを排除することをさらに含むことを特徴とする請求項１に記載の方法。
【請求項１７】
電気通信システムでハンドオーバーを行う方法において、
移動端末がホームセルと一つ或いはさらに多くの隣接セルとの間のハンドオーバー領域に進入したとき、マルチセルチャンネル推定とコードチャンネル選択を行うことで第１のマルチセルジョイント検出処理を行なってホームセル内の通信をデコーディングするステップ１と、
移動端末がホームセルに位置しているとき、移動端末に対してハンドオーバー処理を行なって目標隣接セルに加入させるステップ２と、
移動端末と目標隣接セルとの間の通信をデコーディングするための第２のマルチセルジョイント検出処理を行うステップ３と
を含むことを特徴とする方法。
【請求項１８】
前記コードチャンネル選択は、ホームセルと隣接セルとの間のコマンド交換を使用して、一つ或いはさらに多くのコードチャンネルを識別、選択することをさらに含むことを特徴とする請求項１７に記載の方法。
【請求項１９】
前記コードチャンネル選択は、チャンネル推定に基づいて、所定の１対１の相関性によって隣接セルの拡散コード情報を識別することをさらに含むことを特徴とする請求項１７に記載の方法。
【請求項２０】
前記コードチャンネル選択は、隣接セルからの干渉信号或いはＳＮＲの強度が第１の所定の閾値より高い場合、相応した隣接セルからコードチャンネルを選択することをさらに含むことを特徴とする請求項１７に記載の方法。
【請求項２１】
前記ステップ３は、
ホームセルからの干渉を識別し、
雑音からホームセルからの干渉を排除して、目標隣接セル内の通信をデコーディングすることをさらに含むことを特徴とする請求項１７に記載の方法。
【請求項２２】
電気通信システムでハンドオーバーを行う方法において、
移動端末がホームセルと一つ或いはさらに多くの隣接セルとの間のハンドオーバー領域に進入したとき、第１のマルチセルチャンネル推定を含む第１のジョイント検出処理を行ない、隣接セルから一つ或いは複数のコードチャンネルを選択してホームセル内の通信をデコーディングするステップ１と、
移動端末がホームセルに位置しているとき、移動端末に対してハンドオーバー処理を行なって目標隣接セルに加入させるステップ２と、
第２のマルチセルチャンネル推定を含む第２のマルチセルジョイント検出処理を行ない、隣接セルから一つ或いはさらに多くのコードチャンネルを選択して、移動端末と目標隣接セルとの間の目標セル内の通信をデコーディングするステップ３と
を含むことを特徴とする方法。
【請求項２３】
ホームセルと選択に用いられる隣接セルとの間のコマンド交換を使用して、一つ或いはさらに多くのコードチャンネルを選択することを特徴とする請求項２２に記載の方法。
【請求項２４】
前記一つ或いはさらに多くのコードチャンネルを選択することは、チャンネル推定に基づいて、所定の１対１の相関性によって隣接セルの拡散コード情報を識別することをさらに含むことを特徴とする請求項２２に記載の方法。
【請求項２５】
隣接セルからの干渉信号或いはＳＮＲの強度が第１の所定の閾値より高い場合、相応した隣接セルからコードチャンネルを選択することを特徴とする請求項２２に記載の方法。
【請求項２６】
前記ステップ１は、上りマルチセルジョイント検出処理を含むことを特徴とする請求項２２に記載の方法。
【請求項２７】
前記ステップ１は、下りマルチセルジョイント検出処理を含むことを特徴とする請求項２２に記載の方法。
【請求項２８】
前記第１のマルチセルジョイント検出処理は、雑音から目標隣接セルからの干渉を排除してホームセル内の通信をデコーディングすることを特徴とする請求項２２に記載の方法。
【請求項２９】
前記第２のマルチセルジョイント検出処理は、雑音からホームセルからの干渉を排除して目標隣接セル内の通信をデコーディングすることを特徴とする請求項２２に記載の方法。
【請求項３０】
移動端末がハンドオーバー領域を離れて目標隣接セルに進入したとき、以降のいかなるジョイント検出処理の中でも隣接セルからのコードチャンネルを排除することをさらに含むことを特徴とする請求項２２に記載の方法。
【請求項３１】
隣接セルの干渉信号或いはＳＮＲの強度が第２の所定の閾値以下まで下降したとき、以降のいかなるジョイント検出処理の中でも一つ或いは複数の選択した隣接セルのコードチャンネルを排除することをさらに含むことを特徴とする請求項２２に記載の方法。
【発明の詳細な説明】
【技術分野】
【０００１】
本発明は、全体として無線通信システムに関し、特にマルチセルジョイント検出処理を使うことによってハンドオーバー（ｈａｎｄｏｆｆ）過程を行う方法とシステムに関するものである。
【背景技術】
【０００２】
セルラー電話、或いはその他の無線音声或いはデータ通信システムにおいて、サービスエリアは通常複数のセルに分けられ、各セルはさらに複数のセクターに分けられる。
【０００３】
各セルは、一つ或いはさらに多くの基地局（ＢＳ）のサービスを受けることができ、基地局は、さらに基地局制御機（ＢＳＣ）を介して、メッセージ交換センター（ＭＳＣ）、ユーザ管理システム（ＳＭＳ）或いはデータルータに接続される。複数の移動通信設備/端末（"ＭＴ"）は、付近の一つ或いはさらに多くの基地局と無線リンクを確立することでＭＳＣ、ＳＭＳ或いはルータに接続される。
【０００４】
セルラー無線電話通信システムで普通使っているシステムとして、符号分割多重接続（ＣＤＭＡ）システムがある。そのうち、従来の周波数分割多重接続（ＦＤＭＡ）或いは時分割多重接続（ＴＤＭＡ）システムと対比されるのは、異なるユーザの無線信号が同一時間に同じ周波数スペクトラムを共有していることである。
【０００５】
典型的なＣＤＭＡセルラー無線電話通信システムにおいて、ＭＴは、使用可能な最強の信号を有している基地局と通信を行う。使用可能な信号を追跡するために、ＭＴは使用可能な基地局のリストを保有する。具体的には、ＣＤＭＡシステム中の各基地局は、１組の所定の周波数を用いて、変調していない"パイロット”信号を送信する。ＭＴは、パイロット信号を受信してどのパイロット信号が最強かを確定する。ＭＴに位置した"サーチ器（ｓｅａｒｃｈｅｒ）”ユニットは、通常、信号検出と強度測定機能を果たす。サーチ器の結果は現在の基地局に報告される。次に、現在の基地局は、ＭＴにＭＴが保有している使用可能な基地局のリストをアップデートすることを指示する。典型的には、このリストはさらに３個の操作集合に分けられる。即ち、活性化集合（Ａｃｔｉｖｅ  Ｓｅｔ）と、候補集合（Ｃａｎｄｉｄａｔｅ  Ｓｅｔ）と、隣接局集合（Ｎｅｉｇｈｂｏｒ  Ｓｅｔ）とに分けられる。活性化集合は、現在ＭＴと通信している基地局のリストを含む。候補集合は、活性化集合に変換することができる基地局のリストである。隣接局集合は、監視されている（しかし監視は頻繁ではない）基地局のリストである。
【０００６】
電気通信システムのカバー領域を通常セルに分けるので、ＭＴは一つのセルから他の一つのセルに移動することができる。ＭＴの移動によってそれ自体の現在の活性化基地局からの信号は弱くなり、ＭＴは必ず新しい基地局にアクセスしなければならない。ＭＴは、サーチ器の結果及び新しい基地局から受信した指示に基づいて、異なる基地局と通信する。通信リンクを一つの基地局から他の一つの基地局に切り替える処理をハンドオーバー（ｈａｎｄｏｆｆ）処理と称する。
【０００７】
ＭＴユーザの通信を中断なしに転送するためには必ず通信リンクを次の基地局に切り替えなければならない。通常、２種類のハンドオーバーが存在する。即ち、ソフトハンドオーバーとハードハンドオーバーが存在する。現在のリンクを遮断する前に新しいリンクを確立した場合、ソフトハンドオーバーと称する。これとは逆に、ハードハンドオーバーでは、まず現在のリンクを遮断した後、新しい基地局との新しいリンクを確立する。ハードハンドオーバーがＭＴユーザのサービス中断をもたらしうるので、一時的なものであってもセルラー電話ユーザのサービス品質（ＱＯＳ）を低下させる。例えば、ＭＴが音声サービスに加入した場合、ユーザは減衰される音声品質、ひいては通話遮断を経験する可能性が存在する。ＭＴがデータを送信中であれば（再送エラーによる）深刻な送信遅延が発生する可能性が存在する。ちょうど切り替えようとする複数の隣接セルにおける基地局の境界領域にＭＴが移動したときに、通常ハンドオーバーが発生する。ＭＴが境界領域に位置しているとき、複数のセルからの信号干渉が一番深刻で、ハンドオーバー過程は直接通信品質に影響を与えるようになる。
【０００８】
そのため、優良な通信品質を得るためには、改良された方法とシステムを提供して效果的にハンドオーバー過程を行わなければならない。
【発明の開示】
【発明が解決しようとする課題】
【０００９】
本発明は、電気通信システムでハンドオーバーを行う方法を提供する。
【課題を解決するための手段】
【００１０】
本発明の第１の態様の方法は、電気通信システムでハンドオーバーを行う方法は、移動端末がホームセルと一つ或いはさらに多くの隣接セルとの間のハンドオーバー領域に進入したとき、ホームセル中の通信をデコーディングするための第１のマルチセルジョイント検出処理を行うステップ１と、移動端末がホームセルに位置しているとき、移動端末に対してハンドオーバー処理を行なって目標隣接セルに加入させるステップ２と、ホームセルと目標セルとの間の通信をデコーディングするための第２のマルチセルジョイント検出処理を行うステップ３とを含むことを特徴とする。
【００１１】
本発明の第２の態様の方法は、電気通信システムでハンドオーバーを行う方法は、移動端末がホームセルと一つ或いはさらに多くの隣接セルとの間のハンドオーバー領域に進入したとき、マルチセルチャンネル推定とコードチャンネル選択を行うことで第１のマルチセルジョイント検出処理を行なって、ホームセル内の通信をデコーディングするステップ１と、移動端末がホームセルに位置しているとき、移動端末に対してハンドオーバー処理を行なって目標隣接セルに加入させるステップ２と、移動端末と目標隣接セルとの間の通信をデコーディングするための第２のマルチセルジョイント検出処理を行うステップ３とを含むことを特徴とする。
【００１２】
本発明の第３の態様の方法は、電気通信システムでハンドオーバーを行う方法は、移動端末がホームセルと一つ或いはさらに多くの隣接セルとの間のハンドオーバー領域に進入したとき、第１のマルチセルチャンネル推定を含む第１のジョイント検出処理を行ない、隣接セルから一つ或いは複数のコードチャンネルを選択し、ホームセル内の通信をデコーディングするステップ１と、移動端末がホームセルに位置しているとき、移動端末に対してハンドオーバー処理を行なって目標隣接セルに加入させるステップ２と、第２のマルチセルチャンネル推定を含む第２のマルチセルジョイント検出処理を行ない、隣接セルから一つ或いはさらに多くのコードチャンネルを選択し、移動端末と目標隣接セルとの間の目標セル内の通信をデコーディングするステップ３とを含むことを特徴とする。
【発明の効果】
【００１３】
そのため、本発明は、電気通信システム中のセルハンドオーバー問題を解決することができ、上り或いは下り通信に対するデコーディングを提供し、電気通信システムのスループットと性能を向上させる。
【発明を実施するための最良の形態】
【００１４】
以下、いくつかの実施例を参照して本発明を記述するが、本発明が多重接続（ｍｕｌｔｉｐｌｅ ａｃｃｅｓｓ）チャネライゼーションを行う周波数分割或いは時分割のいかなる多重接続技術にも適用できることを理解されたい。次の本発明の実施例に対する記述は同じくＣＤＭＡシステム環境に適用できるのである。
【００１５】
図１は、一つ或いはさらに多くの移動端末に対して、音声或いはデータ通信を提供するために配置された電気通信システムを示す図である。記述の目的のために、セルＣ１、Ｃ２、及びＣ３のみを示した。各セルは、本セルの境界内の全ての移動端末との通信を担う基地局（ＢＳ）１０２Ａ〜１０２Ｃを有している。最初にセルＣ１中でＭＴ１０４を移動させて境界領域１０６に近付くようにしたとき、ハンドオーバー過程を行ない、ＭＴ１０４の移動方向に沿ってＭＴ１０４を隣接セルに接続する。ＭＴ１０４がセルＣ３に移動したと仮定して、ＭＴ１０４をＢＳ１０２Ｃに接続するために必要なハンドオーバーを行う。しかし、伝統的な方法において、ＢＳ１０２Ａは、ハンドオーバーの可能性を推定するとき、通常ＢＳ１０２ＢとＢＳ１０２Ｃからの信号を干渉と見做して処理する。理解すべきことは、信号干渉が境界領域１０６で非常に顕著であるということである。
【００１６】
ＴＤ−ＣＤＭＡシステムにおいて、それ自体が符号分割多重接続（ＣＤＭＡ）と時分割多重接続（ＴＤＭＡ）両者の特性を有しているので、多くのユーザは同じ周波数帯域を共有することができるが、指定された特徴コード（ｓｉｇｎａｔｕｒｅ  ｓｅｑｕｅｎｃｅ）によって異なるタイムスロット（バースト）或いはコーディングで送受信行う。マルチパス遅延拡散の環境で、受信機での拡散コードの直交性の不足によって招かれた多重接続干渉（ＭＡＩ）及びシングルユーザの連続シンボルの間のシンボル間干渉（ＩＳＩ）は、ＴＤ−ＣＤＭＡシステムの性能を制限する。
【００１７】
当業界で理解されるように、シンボル間干渉は、各単独の拡散信号中のシンボルとそれら各自に隣接するシンボルと間の干渉を示す。一方、多重接続干渉は、送信機で予定したグループのコーディングシーケンスを互いに直交するように設計したとしても、これらコーディングシーケンスが複合の伝搬チャンネルによって伝送され受信機に到逹した後、それらは再び直交しない。直交しない結果、拡散信号のシンボルの間は互いに干渉し、各シンボルは全てがその他のシンボルの雑音ソースとなる。
【００１８】
拡散コードシーケンスの長さと複合の伝搬チャンネルの長さとが相当な（ｃｏｍｐａｒａｂｌｅ）場合、受信信号は互いに直交しないので、整合フィルターの出力は残ったユーザ信号からの干渉を含む。このような持続するＭＡＩ及び不可避なＩＳＩを消去するために、整合フィルターの出力に対して付加操作を行う必要がある。整合フィルタリングとＭＡＩ−ＩＳＩ消去との組合せ操作をジョイント検出と称する。ジョイント検出方案は、ユーザ信号に搭載されている全ての送信シンボルの中に存在する相互干渉を抑制することでＭＡＩとＩＳＩの消去を図る。
【００１９】
通常、伝統的なシングルユーザＣＤＭＡ検出器、例えば整合フィルターとＲＡＫＥ受信機を最適化して、ＩＳＩがない場合のシングルユーザの信号を検出してＭＡＩを付加雑音とする。一方、ジョイント検出処理は、特徴コードとチャンネルインパルス応答に関する知識を採用することでＩＳＩとＭＡＩ両者を処理する。ＭＴが境界領域で移動且つハンドオーバーを行なうとき、異なるソースからの上述したセル間干渉を含む異なる信号干渉が存在する。
【００２０】
図１に示したＣＤＭＡシステムでは、３個のセルがともに同じ周波数を使うので、ハンドオーバーに対しては、コードチャンネルは変更が必要であるが周波数は変化させる必要がない。即ち、ハンドオーバーを行なうとき、新しいセルの新しい基地局は通信に使われる新しいコードチャンネルを提供するようになる。ハードハンドオーバーを行う場合、セル間干渉によって通信品質を保障することができなくなる。ソフトハンドオーバーを行う場合、さらに多くのコードチャンネルに係わるので、セル間干渉がさらに深刻になる。
【００２１】
本発明は、改良されたハンドオーバー処理を提供して、ＭＴが境界領域に位置しているとき、マルチセルジョイント検出処理を使ってハンドオーバー時の通信品質を向上させる。伝統的な方法において、ジョイント検出処理は、特定のセル中の複数のＭＴの分析に限られているが、本発明が提出した改良されたハンドオーバー処理に含まれているマルチセルジョイント検出処理は、複数のセルからの複数の通信信号を分析する。
【００２２】
図２は、本発明の一つの実施例に基づいた、改良されたハンドオーバー処理を説明するためのフローチャート２００である。ステップ２０２で、移動端末がそのホームセルからハンドオーバー領域に進入したとき、例えば境界領域に進入したとき、まずステップ２０４でハンドオーバーを行うか否かを決める。これは通常ＢＳとＭＴとの間の通信によって決められる。ＭＴが依然としてそのホームセルに位置しているとき、ステップ２０６で第１のマルチセルジョイント検出処理を行う。ＭＴが境界領域に位置しているとき、ＭＴとそのホームセルＢＳとの間の通信を干渉する複数のソース（例えば複数のセル）からの通信信号が存在する。第１のマルチセルジョイント検出処理を行なうとき、隣接セルからのコードチャンネルを考慮する。マルチセルジョイント検出処理は、第１のデコーディングメカニズムを設計することに必要な情報を提供して干渉を減少し、これはホームセル中の通信に対するデコーディングを強化する。例えば、マルチセルチャンネルの推定後、隣接セル（特に移動端末が移動する前方の隣接セル）からの一つ或いはさらに多くのコードチャンネルを識別することができる。
【００２３】
マルチセルジョイント検出処理とマルチセルチャンネル推定に対する詳細な記述は、本出願の出願人が提出した中国特許出願第200410080196.6号を参照することができる。さらに第１のマルチセルジョイント検出処理を行うのに使われるこのようなコードチャンネルを選択的に分割することで、目標隣接セルからの干渉に対して異なる処理を行ない、残りの雑音から隔離することができる。例えば、デコーディング行列のようなデコーディングメカニズムを得ることができ、これを使用してＭＴとＢＳとの間の通信を処理することができる。該デコーディングメカニズムに基づいて、ハンドオーバー処理２０８を完成することができる。強化されたデコーディングメカニズムの結果として、ＭＴがホームセルに位置している場合、向上された信号品質でＢＳと通信し、さらに目標隣接セルに切替えてハンドオーバー処理を完成する。このハンドオーバーは、ハードハンドオーバー或いはソフトハンドオーバーであってもよい。ハンドオーバーを行なった後、第２のマルチセルジョイント検出処理２１０を行なって、ＭＴと目標隣接セルとの間の通信に用いられる第２のデコーディングメカニズムを設計する。第１のマルチセルジョイント検出処理と類似して、第２のマルチセルジョイント検出処理の結果、目標隣接セル中のＭＴと目標ＢＳとの間の更なる通信に用いられる第２のデコーディングメカニズムを強化する。ステップ２１２でＭＴがハンドオーバー領域からさらに移動するとき、以降のいかなるジョイント検出処理でも二度とこのホームセルを考慮しないし、移動端末がハンドオーバー領域を離れて目標隣接セルに進入したとき、即ち、相応した隣接セルからの干渉信号の強度が第２の所定の閾値以下まで下降したとき、以降のいかなるジョイント検出処理でも二度と上記目標隣接セルの隣接セルからのコードチャンネルを考慮しない。
【００２４】
理解すべきことは、この改良されたハンドオーバー処理が伝統的なハンドオーバー処理より優れた点は、ホームセルと目標隣接セルの両者をともに干渉ソースと考えて、さらに正確なデコーディングメカニズムを設計することにある。例えば、第１のマルチセルジョイント検出処理を行うことによって第１のデコーディングメカニズムを設計するとき、目標隣接セルからの干渉は排除され、且つその他の雑音と組合わされることなく、はっきりと識別される。ホームセルと異なる隣接セルのパイロットチャンネル推定コードに基づいてジョイント検出処理を行なうとき、マルチセルチャンネル推定処理を行なって、ホームセル及び隣接セルのパイロットチャンネル推定を得ることができる。次に、コードチャンネル間の相関性とパイロットチャンネル推定コード間の相関性に基づいて、コードチャンネル分割に用いられる一つ或いはさらに多くの配置を選択して、互いに隣接するセルのために異なるコードチャンネルを指定する。言い換えれば、細かくコードチャンネルを選択してマルチセルジョイント検出を行う。最後に、パイロットチャンネル推定結果とコードチャンネル分割結果及びこれらの相関性に基づいて、マルチセルジョイント検出処理に基づきマルチチャンネル信号を処理して検出結果を得る。異なるコードチャンネルの選択は、電気通信システムの設計によって著しく変化できることは明らかである。この選択は、セル境界、コードチャンネル電力強度、相関信号強度或いはそれらの任意の組合せに基づいて行うことができる。同様に、理解すべきことは、ハンドオーバー期間中マルチセルジョイント検出操作を変化させることができるということである。簡単に言えば、隣接セルの選択数量を考慮したこのマルチセルジョイント検出処理は、さらに品質の高い通信のためにデコーディングメカニズムを強化することを確保する。これと類似して、ＭＴが新しいセルに位置しているとき、第２のマルチセルジョイント検出処理はホームセル干渉を抑制する。よって、同様に後の通信のために第２のデコーディングメカニズムが強化される。
【００２５】
注意すべきことは、上記の識別と選択は、ホームセルと隣接セルと間の、識別と選択に用いられるコマンド交換を使用することができる。そして、例えばチャンネル推定に基づいて所定の１対１の相関性によって隣接セルの拡散コード情報を識別してコードチャンネルを識別、選択できるのである。
【００２６】
第１のマルチセルジョイント検出処理を行なうとき、分析の目的のためにコードチャンネルを細かく選択する。例えば、第１のマルチセルジョイント検出を準備しているとき、選択しようとする場合、隣接セルが使用するコードチャンネルがある閾値信号強度（第１の閾値）より高くならなければならない。つまり、ＭＴの通信に著しい影響を与えたそれらの信号のみを考慮する。この閾値は変化できるので、処理中に異なる数のコードチャンネルが係わることができる。理解すべきことは、係わるコードチャンネルが多いほど、処理はさらに多くのリソースを使用しなければならないことである。この閾値は、電気通信システムの設計者がコスト−収益分析に基づいて決める。このシステムも第１の或いは第２のマルチセルジョイント検出処理に対して考慮した固定数量のチャンネルを予め決めることができる。或いは、このシステムは、分析の目的のために全ての隣接セルの信号強度によって、全ての隣接セルをランクすることができるが、最高ランキングの１グループのセルのみを選択する。上述したように、ＭＴとＢＳがＭＴに対して使用可能なその他のＢＳのリストが分かっているので、このシステムは、基地局、セルのパイロット、或いはコードチャンネルの信号強度に基づいて基地局或いはセルの優先順序を区分することができる。
【００２７】
第２のマルチセルジョイント検出処理に含まれたコードチャンネル数を、第１のマルチセルジョイント検出処理で使用するコードチャンネル数と容易に区分することができるが、第１のマルチセルジョイント検出処理と同様に知的に選択することができる。ＭＴがそのホームセルからさらに移動してさらに新しいセルに進入したとき、ホームセルからの信号が減衰することがあり、ある一つの地点で、例えば信号が普通は第１の閾値より小さな第２の閾値より低いとき、マルチセルジョイント検出でそれらのコードチャンネルを二度と考慮しない。理解すべきことは、境界領域の境界は仮想的なものであって実線で定義を下すことはできない。ＭＴが仮想的な境界領域に進入したかどうかは、ＭＴとＭＴの原始（ホーム）ＢＳと間の通信の信号強度によって決めることができる。例えば、信号対雑音比（ＳＮＲ）を一つの基準としてＭＴが境界領域に進入したかどうかを決めることができる。他の基準として、干渉信号強度測定のその他の形式を含むその他の類似の基準は、境界領域確定に使うことができる。例えば、ジョイント検出処理でＭＴがそれの原始ホームセルから離脱したとき、それはもう境界領域を離れた後である。
【００２８】
上り或いは下り通信、或いは両者に対して第１の或いは第２のマルチセルジョイント検出処理を実現することができる。同様に、ＢＳ、ＭＴ或いは両者は、当該マルチセルジョイント検出を行うことができる。干渉ソース検出に対して、さまざまな方法によって提供或いは検出することができる。例えば、異なるＢＳ中の通信を利用してある信号干渉の一部特性を識別することができる。通信システムは、いくつかのパラメーターをあらかじめ設定して異なるＢＳから信号ソースを容易に識別することもできる。同様に、テストによって干渉パラメーターを得ることができる。
【００２９】
マルチセルジョイント検出を行うために、ＢＳ、或いはＭＴ、或いは両者は、ジョイント検出受信機を含んでもよい。典型的なジョイント検出受信機は、全てのコーディングが提供されており、そのため与えられたタイムスロット内で全てのコードチャンネルをデコーディングすることができる。ジョイント検出受信機で未知の送信シンボルシーケンスを推定する従来の方法として、ＺＦブロック線形等化法（Ｚｅｒｏ−Ｆｏｒｃｉｎｇ Ｂｌｏｃｋ−Ｌｉｎｅａｒ Ｅｑｕａｌｉｚａｔｉｏｎ）がある。通常、伝搬チャンネル推定と使用する拡散コードの知識を利用してジョイント検出等式或いはアルゴリズムを求めることができる。本発明によれば、マルチセルジョイント検出処理期間に、例えばマルチ集合チャンネル推定方法のような方法によって、ホームセルと隣接セルのチャンネル推定コードを使って、ホームセルと隣接セルとの両者に用いられるチャンネル推定を得る。次に、ホームセルと隣接セルのコードチャンネルのチャンネル推定コードとの間の所定の配置に基づいて、コードチャンネルを異なるグループに分割する。さまざまな標準（例えばセル分離、コードチャンネル電力強度、或いはその他の任意の合理的な方法）に基づいてこのような分割を実現することができる。ホーム及び隣接セルのチャンネル推定に基づいて、マルチセルジョイント検出処理を行なって異なるコードチャンネルの信号を検査する。
【００３０】
注意すべきことは、異なる状況に基づいて異なるマルチセルジョイント検出を選択できるということである。上記第１の或いは第２のマルチセルジョイント検出処理は、いかなるマルチセルジョイント検出処理（例えば、中国特許出願第200410080196.6号中のマルチセルジョイント検出処理）に基づくことができる。しかしながら、その他の変更実施例において、第１のマルチセルジョイント検出処理は、ホームセル中の通信に用いられるマルチセルチャンネル推定或いはコードチャンネル選択或いは両者をさらに含むことができる。或いは、ホームセル内の通信に対して、まず第１のマルチセルチャンネル推定を含む第１のマルチセルジョイント検出処理を行った後、一つ或いはさらに多くのコードチャンネルを選択し、そして、目標セル内の通信に対して、まず第２のマルチセルチャンネル推定を含む第２のマルチセルジョイント検出処理を行った後、一つ或いはさらに多くのコードチャンネルを選択しても良い。そうすることで、マルチセルジョイント検出中のこのような異なる配置は、マルチセル検出中の計算時間と費用をさらに減少することができる。
【００３１】
上術の開示は、本発明の異なる特徴を実施するためのさまざまな異なる実施例或いは例示を提供した。同様に、このような構成と処理の特定された例示を記述することで本発明を解釈する上で一助となる。もちろん、これはただ例示に過ぎないし、請求項に記述した発明を限定するものではない。
【００３２】
本発明の望ましい実施例に基づいて特定的に本発明を提案、記述したが、本分野の一般技術者にとって、本発明の主旨と範囲を逸脱しない前提のもとで各種の形式上、詳細上の変更が可能であることは明らかである。
【図面の簡単な説明】
【００３３】
【図１】無線通信ネットワークを示す図である。
【図２】本発明の一つの実施例に基づいたハンドオーバー処理であって改良されたハンドオーバー処理を行うためのフローチャートである。
【図１】
2008547253.tif 000003
【図２】
2008547253.tif 000004
【国際調査報告】
2008547253.tif 000005
2008547253.tif 000006